(57)【要約】【課題】  記録紙ホルダ全体を覆うことなく、コンパクトに防滴性を確保できる。【解決手段】  記録紙ホルダ１３が、本体ケース１の端部に取り付けられる下部ホルダ２０と、この下部ホルダ２０にヒンジ軸２１によって回動可能に取り付けられる上部ホルダ２２とからなり、下部ホルダ２０には、プリンタ部１０に対応するプリンタ側開口部４７と上部ホルダ２２に対応するホルダ側開口部４８とを設け、これらの縁部に第１パッキン部材４４を連続させて設けた。従って、プリンタ部１０が本体ケース１の端部に開放されていても、第１パッキン部材４４によって本体ケース１の端部と下部ホルダ２０との間の防滴性を確保することができると共に、下部ホルダ２０に対し上部ホルダ２２が開閉する構造であっても、第１パッキン部材４４によって下部ホルダ２０と上部ホルダ２２との間の防滴性をも確保することができ、このため機器全体が大型化せず、コンパクトに構成できる。【選択図】        図３
2005205732.tif 000002
【特許請求の範囲】
【請求項１】
プリンタ部が端部に開放されて設けられた本体ケースと、この本体ケースの前記端部に取り付けられて記録紙を収納する記録紙ホルダとを備えた携帯型電子機器において、
前記記録紙ホルダは、前記本体ケースの前記端部にこれを覆って取り付けられる下部ホルダと、この下部ホルダにヒンジ軸によって回動可能に取り付けられる上部ホルダとからなり、
前記下部ホルダには、前記本体ケースの前記端部に開放された前記プリンタ部に対応するプリンタ側開口部と前記上部ホルダに対応するホルダ側開口部とが設けられていると共に、前記プリンタ側開口部の縁部と前記ホルダ側開口部の縁部には、パッキン部材が設けられていることを特徴とする携帯型電子機器。
【請求項２】
前記プリンタ側開口部と前記ホルダ側開口部とは、前記下部ホルダに連続して設けられ、前記パッキン部材は、前記プリンタ側開口部の縁部と前記ホルダ側開口部の縁部とに連続して設けられていることを特徴とする請求項１に記載の電子機器。
【請求項３】
長手方向に位置する同一端部にプリンタ部およびカード収納部が開放されて設けられた本体ケースと、
この本体ケースの前記端部に取り付けられて記録紙を収納する記録紙ホルダと、
この記録紙ホルダに回動可能に取り付けられて前記カード収納部に対応する開放部分を開閉可能に塞ぐカード蓋と
を備えたことを特徴とする携帯型電子機器。
【請求項４】
前記記録紙ホルダは、前記本体ケースの前記端部にこれを覆って取り付けられる下部ホルダと、この下部ホルダにヒンジ軸によって回動可能に取り付けられる上部ホルダとからなり、
前記カード蓋は、前記上部ホルダの回転中心である前記ヒンジ軸に回動可能に取り付けられていることを特徴とする請求項３に記載の電子機器。
【請求項５】
前記下部ホルダには、前記本体ケースの前記端部に開放された前記プリンタ部に対応するプリンタ側開口部と前記上部ホルダに対応するホルダ側開口部とが設けられていると共に、前記本体ケースの前記端部に開放された前記カード収納部に対応するカード側開口部と前記カード蓋に対応する蓋側開口部とが設けられ、
前記プリンタ側開口部の縁部および前記ホルダ側開口部の縁部には第１パッキン部材が設けられ、前記カード側開口部の縁部には第２パッキン部材が設けられ、前記蓋側開口部の縁部には第３パッキン部材が設けられていることを特徴とする請求項３または４に記載の携帯型電子機器。
【請求項６】
前記下部ホルダには、前記上部ホルダに設けられた係合部を係脱可能に係止することにより、前記上部ホルダを前記下部ホルダに密着させてロックするロック部材が設けられていることを特徴とする請求項１〜５のいずれかに記載の携帯型電子機器。
【請求項７】
前記上部ホルダには、前記プリンタ部の用紙排出口を開閉可能に塞ぐ防滴カバーが回動可能に取り付けられていることを特徴とする請求項１〜６のいずれかに記載の携帯型電子機器。
【請求項８】
前記防滴カバーには、前記用紙排出口を密閉するクッション部材と、前記本体ケースに設けられた係合部に係脱可能に係合する係止部とが設けられていることを特徴とする請求項７に記載の携帯型電子機器。
【発明の詳細な説明】
【技術分野】
【０００１】
この発明は、携帯情報端末機などの携帯型電子機器に関する。
【背景技術】
【０００２】
従来、携帯情報端末機においては、片手で持てる程度の大きさの本体ケースを備え、この本体ケース内にプリンタ部とカード収納部とが設けられていると共に、本体ケースの端部にロール状の記録紙を収納する記録紙ホルダが取り付けられ、この本体ケースを片手で持った状態で他方の手で操作できるようにしたものがある。
【０００３】
このような携帯情報端末機では、記録紙ホルダに収納されたロール状の記録紙をプリンタ部に送り込み、この送り込まれた記録紙にプリンタ部の印字ヘッドで情報を印字し、この印字された記録紙をプリンタ部の用紙排出口から本体ケースの外部に排出して発行することができ、またカード収納部に通信用カードを差し込み、この通信用カードによって外部機器との間でデータを送受信することができる。
【０００４】
この場合、記録紙ホルダは、本体ケースの長手方向における端部に取り付けられた下部ホルダと、この下部ホルダに回動可能に取り付けられた上部ホルダとを備え、この上部ホルダを開閉させることにより、ロール状の記録紙が交換できるように構成されている。
また、カード収納部は、本体ケースの長手方向と直交する方向、つまり本体ケースの幅方向に沿って設けられ、通信用カードが本体ケースの側面に設けられたカード挿入口から本体ケースの幅方向に向けて差し込まれるように構成されている。
【特許文献１】特開２００１−１３００５７号公報
【発明の開示】
【発明が解決しようとする課題】
【０００５】
しかしながら、従来の携帯情報端末機では、本体ケースの端部に記録紙ホルダの下部ホルダをパッキンを介して取り付けても、記録紙ホルダが下部ホルダに上部ホルダを開閉可能に取り付けられた構成であるから、十分な防滴性を確保することがでない。このため、従来では、記録紙ホルダの全体を覆う防滴カバーを記録紙ホルダに回動可能に取り付けているが、このような構造では、記録紙ホルダの全体を覆う防滴カバーによって、機器全体が大型化し、重量も重くなり、携帯性が悪くなるばかりか、防滴カバーが大きいため、プリンタ部を使用するときに邪魔になるなどの問題がある。
【０００６】
また、従来の携帯情報端末機では、カード収納部が本体ケースの幅方向に沿って設けられているため、カード収納部の長さが本体ケースの横幅によって制限されることになる。このため、長さの短い通信用カード、例えば通信用のＣＦカードを使用する場合には、本体ケースの横幅は短くて良いが、長さの長い通信用カード、例えばＰＣＭＣＩＡカードを使用する場合には、本体ケースの横幅を長くしなければならず、このため本体ケースが大きくなり、片手で持ちにくくなるという問題がある。
【０００７】
この発明が解決しようとする第１の課題は、記録紙ホルダ全体を防滴カバーで覆う必要がなく、コンパクトに防滴性を確保できる携帯型電子機器を提供することである。
また、この発明の第２の課題は、本体ケースの横幅を長くせずに、長さの長い通信用カードなどのＩＣカードでも良好に使用することができると共に、本体ケースのコンパクト化をも図ることができる携帯型電子機器を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図１５に示すように、プリンタ部（１０）が端部に開放されて設けられた本体ケース（１）と、この本体ケースの前記端部に取り付けられて記録紙（１２）を収納する記録紙ホルダ（１３）とを備えた携帯型電子機器において、前記記録紙ホルダは、前記本体ケースの前記端部にこれを覆って取り付けられる下部ホルダ（２０）と、この下部ホルダにヒンジ軸（２１）によって回動可能に取り付けられる上部ホルダ（２２）とからなり、前記下部ホルダには、前記本体ケースの前記端部に開放された前記プリンタ部に対応するプリンタ側開口部（４７）と前記上部ホルダに対応するホルダ側開口部（４８）とが設けられていると共に、前記プリンタ側開口部の縁部と前記ホルダ側開口部の縁部には、パッキン部材（第１パッキン部材４４）が設けられていることを特徴とする携帯型電子機器である。
【００１０】
請求項２に記載の発明は、図１〜図１５に示すように、前記プリンタ側開口部（４７）と前記ホルダ側開口部（４８）とが、前記下部ホルダ（２０）に連続して設けられ、前記パッキン部材（第１パッキン部材４４）が、前記プリンタ側開口部の縁部と前記ホルダ側開口部の縁部とに連続して設けられていることを特徴とする請求項１に記載の電子機器である。
【００１１】
請求項３に記載の発明は、図１〜図１５に示すように、長手方向に位置する同一端部にプリンタ部（１０）およびカード収納部（１１）が開放されて設けられた本体ケース（１）と、この本体ケースの前記端部に取り付けられて記録紙（１２）を収納する記録紙ホルダ（１３）と、この記録紙ホルダに回動可能に取り付けられて前記カード収納部に対応する開放部分を開閉可能に塞ぐカード蓋（２３）とを備えたことを特徴とする携帯型電子機器である。
【００１２】
請求項４に記載の発明は、図１〜図１５に示すように、前記記録紙ホルダ（１３）が、前記本体ケース（１）の前記端部にこれを覆って取り付けられる下部ホルダ（２０）と、この下部ホルダにヒンジ軸（２１）によって回動可能に取り付けられる上部ホルダ（２２）とからなり、前記カード蓋（２３）が、前記上部ホルダの回転中心である前記ヒンジ軸に回動可能に取り付けられていることを特徴とする請求項３に記載の電子機器である。
【００１３】
請求項５に記載の発明は、図１〜図１５に示すように、前記下部ホルダ（２０）には、前記本体ケース（１）の前記端部に開放された前記プリンタ部（１０）に対応するプリンタ側開口部（４７）と前記上部ホルダ（２２）に対応するホルダ側開口部（４８）とが設けられていると共に、前記本体ケースの前記端部に開放された前記カード収納部（１１）に対応するカード側開口部（５０）と前記カード蓋に対応する蓋側開口部（５１）とが設けられ、前記プリンタ側開口部の縁部および前記ホルダ側開口部の縁部には第１パッキン部材（４４）が設けられ、前記カード側開口部の縁部には第２パッキン部材（４５）が設けられ、前記蓋側開口部の縁部には第３パッキン部材（４６）が設けられていることを特徴とする請求項３または４に記載の携帯型電子機器である。
【００１４】
請求項６に記載の発明は、図１〜図１５に示すように、前記下部ホルダ（２０）には、前記上部ホルダ（２２）に設けられた係合部（係合突起２９）を係脱可能に係止することにより、前記上部ホルダを前記下部ホルダに密着させてロックするロック部材（２７）が設けられていることを特徴とする請求項１〜５のいずれかに記載の携帯型電子機器である。
【００１５】
請求項７に記載の発明は、図１〜図１５に示すように、前記上部ホルダ（２２）には、前記プリンタ部（１０）の用紙排出口（３１）を開閉可能に塞ぐ防滴カバー（３７）が回動可能に取り付けられていることを特徴とする請求項１〜６のいずれかに記載の携帯型電子機器である。
【００１６】
請求項８に記載の発明は、図１〜図１５に示すように、前記防滴カバー（３７）には、前記用紙排出口（３１）を密閉するクッション部材（４０）と、前記本体ケース（１）に設けられた係合部（係合凹部４２）に係脱可能に係合する係止部（係止突起４３）とが設けられていることを特徴とする請求項７に記載の携帯型電子機器である。
【発明の効果】
【００１７】
請求項１に記載の発明によれば、記録紙ホルダが、本体ケースの端部に取り付けられる下部ホルダと、この下部ホルダにヒンジ軸によって回動可能に取り付けられる上部ホルダとからなり、下部ホルダには、本体ケースの端部に開放されたプリンタ部に対応するプリンタ側開口部と上部ホルダに対応するホルダ側開口部とが設けられ、このプリンタ側開口部の縁部とホルダ側開口部の縁部とにはパッキン部材が設けられているので、プリンタ部が本体ケースの端部に開放されていても、パッキン部材によって本体ケースの端部と下部ホルダとの間の防滴性を確保することができると共に、下部ホルダに対し上部ホルダが開閉する構造であっても、パッキン部材によって下部ホルダと上部ホルダとの間の防滴性をも確保することができる。このため、従来例のように記録紙ホルダ全体を覆う防滴カバーを設ける必要がないので、機器全体が大型化せず、重量も重くならず、携帯性が良く、使い勝手の良いものを得ることができる。
【００１８】
請求項２に記載の発明によれば、プリンタ側開口部とホルダ側開口部とが下部ホルダに連続して設けられているので、プリンタ部と記録紙ホルダの内部とを連続させて開放することができ、これにより記録紙ホルダに収納された記録紙を本体ケースのプリンタ部に差し込んでセットしやすくすることができると共に、パッキン部材がプリンタ側開口部の縁部とホルダ側開口部の縁部とに連続して設けられているので、一つのパッキン部材で本体ケースの端部と下部ホルダとの間、および下部ホルダと上部ホルダとの間の防滴性をも確保することができ、これにより部品点数が少なく、組み立て作業も容易にできる。
【００１９】
請求項３に記載の発明によれば、本体ケース内にプリンタ部とカード収納部とを本体ケースの長手方向に位置する同一端部に開放させて設けたので、カード収納部を本体ケースの長手方向に沿って設けることができ、このため従来例のように本体ケースの幅方向を長く形成する必要がないので、カード収納部によって本体ケースが大型化せず、本体ケースをコンパクトに構成することができる。また、本体ケースの端部に取り付けられて記録紙を収納する記録紙ホルダに、カード収納部に対応する開放部分を開閉可能に塞ぐカード蓋を回動可能に取り付けたので、カード収納部に通信用カードなどのＩＣカードを挿入させた際、そのＩＣカードが本体ケースの端部から突出しても、その突出した部分をカード蓋で覆って保護することができる。このため、長さの短い通信用カードなどのＩＣカードでも、また長さの長い通信用カードなどのＩＣカードでも良好に使用することができ、これにより使い勝手の良いものを得ることができる。
【００２０】
請求項４に記載の発明によれば、記録紙ホルダが、本体ケースの端部にこれを覆って取り付けられる下部ホルダと、この下部ホルダにヒンジ軸によって回動可能に取り付けられる上部ホルダとからなり、カード蓋が上部ホルダの回転中心であるヒンジ軸に回動可能に取り付けられているので、上部ホルダとカード蓋との回転中心を一つのヒンジ軸で兼用することができ、これにより部品点数を削減することができると共に、上部ホルダとカード蓋とを閉じる際に、下部ホルダに対する上部ホルダとカード蓋との両方の圧接力を同じにすることができるので、上部ホルダとカード蓋との開閉操作が良く、これによっても使い勝手の良いものを得ることができる。
【００２１】
請求項５に記載の発明によれば、下部ホルダには、本体ケースの端部に開放されたプリンタ部に対応するプリンタ側開口部と上部ホルダに対応するホルダ側開口部とが設けられていると共に、本体ケースの同一の端部に開放されたカード収納部に対応するカード側開口部とカード蓋に対応する蓋側開口部とが設けられ、プリンタ側開口部の縁部とホルダ側開口部の縁部に第１パッキン部材が設けられ、カード側開口部の縁部に第２パッキン部材が設けられ、蓋側開口部の縁部に第３パッキン部材が設けられているので、本体ケースと下部ホルダとの間の防滴性をプリンタ側開口部の第１パッキン部材とカード側開口部の第２パッキン部材とによって確保することができ、また下部ホルダと上部ホルダとの間の防滴性をホルダ側開口部の第１パッキン部材によって確保することができると共に、下部ホルダとカード蓋との間の防滴性を蓋側開口部の第３パッキン部材によって確保することができる。
【００２２】
このため、プリンタ部とカード収納部とが本体ケースの同一端部に開放された構造であっても、また下部ホルダに対し上部ホルダが開閉する構造であっても、更に下部ホルダに対しカード蓋が開閉可能な構造であっても、これら全体の防滴性を第１〜第３パッキン部材によって確保することができる。このため、従来例のように記録紙ホルダ全体を覆う防滴カバーを設ける必要がないので、請求項１に記載の発明と同様、機器全体が大型化せず、重量も重くならず、携帯性が良いばかりか、カード収納部に通信用カードなどのＩＣカードを装着した状態でも良好に使用することができ、これにより、より一層、使い勝手の良いものを得ることができる。
【００２３】
請求項６に記載の発明によれば、下部ホルダには上部ホルダに設けられた係合部を係脱可能に係止することにより、上部ホルダを下部ホルダに密着させてロックするロック部材が設けられているので、ロック部材によって上部ホルダの係合部を係止してロックすると、上部ホルダが下部ホルダに密着するときに、パッキン部材を圧縮させることができ、これにより上部ホルダと下部ホルダとの間の防滴性を確実に確保することができる。
【００２４】
請求項７に記載の発明によれば、上部ホルダにプリンタ部の用紙排出口を開閉可能に塞ぐ防滴カバーが回動可能に取り付けられていることにより、用紙排出口の防滴性を確保できるほか、特に防滴カバーが用紙排出口のみを開閉可能に塞ぐ構造であるから、記録紙ホルダ全体を覆う従来の防滴カバーを設けた場合に比べて、コンパクトに構成することができ、これにより防滴カバーを設けても、携帯性が良く、しかもプリンタ部の使用時に防滴カバーが邪魔にならず、良好に使用することができる。
【００２５】
請求項８に記載の発明によれば、防滴カバーに、用紙排出口を密閉するクッション部材と、前記本体ケースに設けられた係合部に係脱可能に係合する係止部とが設けられていることにより、防滴カバーを回動させて用紙排出口を閉じたときに、防滴カバーの係止部を本体ケースの係合部に係合させることにより、クッション部材を圧縮させて用紙排出口を密閉することができ、これにより用紙排出口に水滴などが侵入するのを確実に防ぐことができるほか、用紙排出口およびプリンタ部に対する衝撃をも適度に吸収することができ、これにより安全性の高いものを得ることができる。
【発明を実施するための最良の形態】
【００２６】
以下、図１〜図１５を参照して、この発明を携帯情報端末機に適用した一実施形態について説明する。
図１はこの発明の携帯情報端末機を上方から見た斜視図、図２はその携帯情報端末機を下方から見た斜視図、図３は図１のＡ−Ａ矢視における拡大断面図、図４は図３の携帯情報端末機を背面側の下方から見た要部の斜視図である。
この携帯端末機は、図１および図２に示すように、本体ケース１を備えている。この本体ケース１は、片手で持てる程度の大きさで、その左右両側の中間部分がくびれた形状に形成されている。
【００２７】
この本体ケース１の上面における中央部には、図１に示すように、入力表示部２が表示用開口部３に対応して設けられており、この入力表示部２の手前側（図１では下部側）における本体ケース１の上面にはキー入力部４が設けられている。また、本体ケース１の上面における入力表示部２の前方側（図１では上辺側）には、スピーカ部５、押釦スイッチ６、および表示ランプ７が設けられており、本体ケース１の側面には、図１に示すように、外部接続用の複数のコネクタ部８および各種の押釦スイッチ９が設けられている。
【００２８】
この場合、入力表示部２は、表示パネルの上面に透明なタッチパネルを重ね合わせてなり、本体ケース１の表示用開口部３を通して入力ペンや指先などでタッチパネルを入力操作することにより、情報が入力されると共に、この透明なタッチパネルを通して表示パネルに表示された情報を本体ケース１の外部から見えるように構成されている。また、キー入力部４は、文字キー、数字キーなどの各種のキーが配列され、これらのキーを操作することにより、情報を入力するように構成されている。
【００２９】
一方、本体ケース１の内部には、図３に示すように、プリンタ部１０とカード収納部１１とが本体ケース１の上辺側の端部に開放されて設けられており、この本体ケース１の上辺側の端部には、ロール状の記録紙１２を収納する記録紙ホルダ１３が取り付けられている。この場合、プリンタ部１０は本体ケース１内の上部側に設けられており、カード収納部１１は本体ケース１内の下部側つまりプリンタ部１０の下側に設けられている。この本体ケース１の上辺側の端部には、図３および図５に示すように、プリンタ部１０を開放するプリンタ開放部１４が本体ケース１の上面から端面の上部に亘って設けられていると共に、カード収納部１１を開放するカード開放部１５が本体ケース１の端面における下部に設けられている。
【００３０】
プリンタ部１０は、本体ケース１内に印字ヘッド１６が設けられ、この印字ヘッド１６に後述する記録紙ホルダ１３のプラテンローラ１７がプリンタ開放部１４から本体ケース１内に挿入して接離可能に接近し、この状態で印字ヘッド１６とプラテンローラ１７との間に記録紙ホルダ１３内の記録紙１２が送り込まれると、この送り込まれた記録紙１２に印字ヘッド１６が情報を順次印字すると共に、この印字ヘッド１６の印字速度に応じてプラテンローラ１７が回転して記録紙１２を搬送し、印字された記録紙１２を本体ケース１の上方に送り出すように構成されている。この場合、プリンタ部１０には、記録紙１２の先端部の位置を検出する第１光センサ１９が設けられている。
【００３１】
カード収納部１１は、通信用カード１８が挿脱可能に挿入するものであり、本体ケース１内にその長手方向に沿って設けられ、通信用カード１８がカード開放部１５から差し込まれると、その奥部（図３では左側部）に設けられたカードコネクタ（図示せず）に電気的に接続され、これにより外部機器との間でデータを送受信するように構成されている。この場合、カード収納部１１内のカードコネクタは、通信用カード１８の長さに応じて予めアダプタなどで設置個所が設定されるように構成されている。また、通信用カード１８は、カード収納部１１に差し込まれた状態で、本体ケース１の上辺側の端部から通信部分が外部に突出し、この突出した通信部分が記録紙ホルダ１３の下側に配置されるように構成されている。
【００３２】
記録紙ホルダ１３は、図３、図６および図７に示すように、本体ケース１の上辺側の端部に取り付けられる下部ホルダ２０と、この下部ホルダ２０にヒンジ軸２１によって回動可能に取り付けられる上部ホルダ２２とからなり、下部ホルダ２０には、カード収納部１１のカード開放部１５側を覆うカード蓋２３が上部ホルダ２２の回転中心であるヒンジ軸２１によって回動可能に取り付けられている。
【００３３】
この場合、下部ホルダ２０の上部側には、図３および図７に示すように、ロール状の記録紙１２が配置される記録紙受部２４が形成されており、その下部側にはカード収納部１１から突出した通信用カード１８の通信部分が対応するカード受部２５が形成されている。また、下部ホルダ２０の一側部には、図７に示すように、本体ケース１の端面にそれを覆って固定ビス（図示せず）によって取り付けられるホルダ取付部２６が形成されている。さらに、この下部ホルダ２０のカード受部２５には、上部ホルダ２２を閉じたときにロックするロック部材２７が前後方向（図７では左右方向に）にスライド可能に取り付けられている。
【００３４】
上部ホルダ２２は、図７に示すように、上方に向けて凸となる半円筒状に形成され、その後端部（図７では右端部）が下部ホルダ２０の後端部（同図では右端部）に設けられたヒンジ軸２１にアーム部２８を介して上下方向に回動可能に取り付けられ、その周縁部の下面が下部ホルダ２０の記録紙受部２４の周縁部に当接した状態で、下部ホルダ２０上に配置された記録紙１２を覆うように構成されている。この場合、上部ホルダ２２の前部における外側面には、図７に示すように、ロック部材２７によって係脱可能に係止される係合突起２９が形成されており、上部ホルダ２２の前部には、図３および図７に示すように、本体ケース１のプリンタ開放部１４を開閉可能に塞ぐ鍔部３０が形成されている。
【００３５】
この鍔部３０には、図３に示すように、プリンタ部１０で印字された記録紙１２を本体ケース１の上方に排出する用紙排出口３１が設けられていると共に、この鍔部３０の下面には、プラテンローラ１７が回転自在に取り付けられている。すなわち、このプラテンローラ１７は、図５および図６に示すように、その回転軸１７ａが上部ホルダ２２の鍔部３０に形成された支持部３２に回転自在に支持され、上部ホルダ２２を下部ホルダ２０上に重ね合わせて閉じたときに、プリンタ開放部１４から本体ケース１内に挿入すると共に、回転軸１７ａが本体ケース１内のガイド部材３３によってガイドされ、これによりプリンタ部１０の印字ヘッド１６に接離可能に接近するように構成されている。
【００３６】
この場合、プラテンローラ１７は、図５および図６に示すように、この回転軸１７ａの端部に設けられた従動歯車１７ｂが本体ケース１内に設けられた駆動歯車（図示せず）に噛み合って回転することにより、印字ヘッド１６の印字速度に応じて記録紙１２を搬送するように構成されている。また、この鍔部３０の下面には、記録紙１２の有無を検出する第２光センサ３４が設けられていると共に、この第２光センサ３４を本体ケース１内の回路基板（図示せず）と電気的に接続するための接続電極３５が設けられている。この接続電極３５は、上部ホルダ２２を下部ホルダ２０上に重ね合わせて閉じたときに、プリンタ開放部１４から本体ケース１内に挿入して、本体ケース１内に設けられて回路基板（図示せず）に電気的に接続された接続端子３６に接触するように構成されている。
【００３７】
さらに、この上部ホルダ２２には、図３および図７に示すように、用紙排出口３１を開閉可能に塞ぐ防滴カバー３７がカバーアーム３８を介して回動可能に取り付けられている。すなわち、この防滴カバー３７は、図７に示すように、カバーアーム３８が上部ホルダ２２の両側面に設けられた支持軸３９に回転自在に取り付けられ、この支持軸３９を中心に上部ホルダ２２の半円筒状の上面に沿って回動移動するように構成されている。また、この防滴カバー３７の下面には、図３に示すように、用紙排出口３１を密閉するクッション部材４０が設けられている。
【００３８】
この場合、防滴カバー３７の両側部には、図６に示すように、本体ケース１の両側面に対応する摘み部４１が設けられており、この摘み部４１には、本体ケース１の両側面における上部に設けられた係合凹部４２に係脱可能に係止される係止突起４３が設けられている。これにより、防滴カバー３７は、支持軸３９を中心に回動して用紙排出口３１を覆った状態で、摘み部４１の係止突起４３が本体ケース１の係合凹部４２に係止されることにより、クッション部材４０を圧縮させて用紙排出口３１を密閉するように構成されている。
【００３９】
ところで、記録紙ホルダ１３の下部ホルダ２０には、図６〜図１２に示すように、第１〜第３パッキン部材４４〜４６が設けられている。すなわち、下部ホルダ２０には、図８に示すように、本体ケース１の上辺側の端部に開放されたプリンタ部１０に対応するプリンタ側開口部４７と上部ホルダ２２に対応するホルダ側開口部４８とが連続して設けられていると共に、図９に示すように、本体ケース１の上辺側の端部に開放されたカード収納部１１に対応するカード側開口部５０とカード蓋２３に対応する蓋側開口部５１とが設けられている。
【００４０】
この場合、下部ホルダ２０に設けられたプリンタ側開口部４７とホルダ側開口部４８とは、図８に示すように、下部ホルダ２０のホルダ取付部２６と記録紙受部２４とに連続して開放されており、その各縁部つまりプリンタ側開口部４７の縁部とホルダ側開口部４８の縁部とには、装着溝４９が連続して形成されている。そして、この連続する装着溝４９内には、第１パッキン部材４４が装着されている。
【００４１】
この第１パッキン部材４４は、図３に示すように、下部ホルダ２０が本体ケース１に固定ビス（図示せず）によって取り付けられると、図３および図１１に示すように、プリンタ側開口部４７の縁部に設けられた個所の第１パッキン部材４４が本体ケース１の端面に圧接し、上部ホルダ２２が下部ホルダ２０上に配置されてロック部材２７によってロックされると、図３および図１０に示すように、ホルダ側開口部４８の縁部に設けられた個所の第１パッキン部材４４が下部ホルダ２０の記録紙受部２４の縁部に圧接し、これにより防滴性を確保するように構成されている。
【００４２】
また、下部ホルダ２０に設けられたカード側開口部５０の周縁部には、図６に示すように、第２パッキン部材４５が両面接着テープなどの接着剤（図示せず）によって取り付けられている。この第２パッキン部材４５は、下部ホルダ２０が本体ケース１に固定ビス（図示せず）によって取り付けられると、図３および図１１に示すように、本体ケース１の端面に圧接し、これにより防滴性を確保するように構成されている。
【００４３】
さらに、下部ホルダ２０に設けられた蓋側開口部５１の縁部には、図９に示すように、装着溝５２が周囲を囲うように形成されており、この装着溝５２には、第３パッキン部材４６が装着されている。この第３パッキン部材４６は、カード蓋２３が下部ホルダ２０の蓋側開口部５１を塞いだ状態で、ビス（図示せず）によって下部ホルダ２０に固定されたときに、図３、図１０および図１１に示すように、カード蓋２３の周縁部に圧接し、これにより防滴性を確保するように構成されている。
【００４４】
次に、このような携帯情報端末機を使用する場合について説明する。
この場合には、予め、記録紙ホルダ１３内にロール状の記録紙１２を収納する。このときには、図１４に示すように、下部ホルダ２０のヒンジ軸２１を中心に上部ホルダ２２を上方に回動させて開き、下部ホルダ２０の記録紙受部２４上にロール状の記録紙１２を配置し、この記録紙１２の先端を本体ケース１のプリンタ部１０に差し込む。この状態で、上部ホルダ２２を閉じると、上部ホルダ２２の鍔部３０に取り付けられたプラテンローラ１７が本体ケース１のプリンタ開放部１４から本体ケース１内に挿入し、上部ホルダ２２の鍔部３０がプリンタ開放部１４を塞ぐ。
【００４５】
このときには、プラテンローラ１７の回転軸１７ａが本体ケース１内のガイド部材３３によってガイドされ、これによりプラテンローラ１７がプリンタ部１０の印字ヘッド１６に接離可能に接近すると共に、回転軸１７ａの端部に設けられた従動歯車１７ｂが本体ケース１内に設けられた駆動歯車（図示せず）に噛み合う。これにより、プリンタ部１０によって記録紙１２に印字することが可能な状態になる。この状態で、ロック部材２７をスライドさせて上部ホルダ２２の係合突起２９を係止させると、上部ホルダ２２が勝手に開かないようにロックされる。
【００４６】
また、予め、本体ケース１内のカード収納部１１には、通信用カード１８を差し込んで収納する。このときには、図２に示すように、下部ホルダ２０のヒンジ軸２１を中心にカード蓋２３を下方に回動させて開き、この状態で通信用カード１８を下部ホルダ２０のカード側開口部５０から本体ケース１のカード開放部１５を通してカード収納部１１に差し込み、この差し込まれた通信用カード１８をカード収納部１１内のカードコネクタ（図示せず）に接続する。この状態では、通信用カード１８の通信部分が本体ケース１から突出し、この突出した通信用カード１８の通信部分が下部ホルダ２０のカード受部２５内に配置される。この後、カード蓋２３を閉じて下部ホルダ２０のカード受部２５を塞ぎ、ビス（図示せず）によってカード蓋２３を下部ホルダ２０に固定する。
【００４７】
そして、このような携帯情報端末機を携帯する場合には、図１に示すように、防滴カバー３７を回動させて上部ホルダ２２の用紙排出口３１を塞ぐと共に、防滴カバー３７の両側部に設けられた摘み部４１の係止突起４３を本体ケース１の係合凹部４２に係合させ、これにより防滴カバー３７のクッション部材４０を圧縮させて用紙排出口３１を密閉する。これにより、用紙排出口３１の防滴性が防滴カバー３７によって確保されると共に、防滴カバー３７が邪魔にならず、携帯情報端末機がコンパクトになるので、良好に携帯することができる。
【００４８】
また、この携帯情報端末機のプリンタ部１０で記録紙１２に情報を印字する場合には、まず、防滴カバー３７の両側部に設けられた摘み部４１の係止突起４３を本体ケース１の係合凹部４２から離脱させ、図１３に示すように、上部ホルダ２２の支持軸３９を中心に防滴カバー３７を上方に回動させて用紙排出口３１を開く。この状態で、入力表示部２に表示された情報を見ながら、入力表示部２およびキー入力部４を入力操作して情報を入力する。また、通信用カード１８で外部機器との間でデータを送受信して、必要なデータを取り込む。
【００４９】
そして、プリンタ部１０で印字を開始すると、プリンタ部１０の印字ヘッド１６が駆動されると共に、この印字ヘッド１６のて印字速度に応じてプラテンローラ１７が回転する。これにより、必要な情報がプリンタ部１０の印字ヘッド１６によって記録紙１２に順次印字されると共に、この印字された記録紙１２がプラテンローラ１７の回転に応じて搬送されて用紙排出口３１から本体ケース１の上方に排出される。
【００５０】
このように、この携帯情報端末機によれば、本体ケース１内にプリンタ部１０とカード収納部１１とを本体ケース１の長手方向に位置する同一端部に開放させて設けたので、カード収納部１１を本体ケース１の長手方向に沿って設けることができる。このため、従来例のように本体ケース１の幅方向を長く形成する必要がないので、カード収納部１１によって本体ケース１が大型化せず、本体ケース１をコンパクトに構成することができる。
【００５１】
また、本体ケース１の端部に取り付けられて記録紙１２を収納する記録紙ホルダ１３に、カード収納部１１の開放部分を開閉可能に塞ぐカード蓋２３を回動可能に取り付けているので、カード収納部１１に通信用カード１８を挿入させた際、その通信用カード１８が本体ケース１の端部から突出しても、その突出した部分をカード蓋２３で覆って保護することができる。このため、長さの短い通信用カード１８、例えばＦＣカードでも、また長さの長い通信用カード１８、例えばＰＣＭＣＩＡカードでも良好に使用することができ、これにより使い勝手の良いものを得ることができる。
【００５２】
この場合、記録紙ホルダ１３が、本体ケース１の端部にこれを覆って取り付けられる下部ホルダ２０と、この下部ホルダ２０にヒンジ軸２１によって回動可能に取り付けられる上部ホルダ２２とからなり、カード蓋２３が、上部ホルダ２２の回転中心であるヒンジ軸２１に回動可能に取り付けられているので、上部ホルダ２２とカード蓋２３との回転中心を一つのヒンジ軸２１で兼用することができ、これにより部品点数を削減することができると共に、上部ホルダ２２とカード蓋２３とを閉じる際に、下部ホルダ２０に対する上部ホルダ２２とカード蓋２３との両者の圧接力を同じにすることができるので、上部ホルダ２２とカード蓋２３との開閉操作が良く、これによっても使い勝手の良いものを得ることができる。
【００５３】
また、下部ホルダ２０には、本体ケース１のプリンタ部１０に対応するプリンタ側開口部４７と上部ホルダに対応するホルダ側開口部４８とが設けられていると共に、本体ケース１の同一の端部に開放されたカード収納部１１に対応するカード側開口部５０とカード蓋２３に対応する蓋側開口部５１とが設けられ、プリンタ側開口部４７とホルダ側開口部４８との各縁部に第１パッキン部材４４が設けられ、カード側開口部５０の縁部に第２パッキン部材４５が設けられ、蓋側開口部５１の縁部に第３パッキン部材４６が設けられているので、本体ケース１と下部ホルダ２０との間の防滴性を第１パッキン部材４４と第２パッキン部材４５とによって確保することができ、また下部ホルダ２０と上部ホルダ２２との間の防滴性を第１パッキン部材４４によって確保することができると共に、下部ホルダ２０とカード蓋２３との間の防滴性を第３パッキン部材４６によって確保することができる。
【００５４】
このため、プリンタ部１０とカード収納部１１とが本体ケース１の同一端部に開放された構造であっても、また下部ホルダ２０に対し上部ホルダ２２が開閉する構造であっても、更に下部ホルダ２０に対しカード蓋２３が開閉可能な構造であっても、これら全体の防滴性を第１〜第３パッキン部材４４〜４６によって確保することができる。このため、従来例のように記録紙ホルダ１３全体を覆う防滴カバーを設ける必要がないので、機器全体が大型化せず、重量も重くならず、携帯性が良いばかりか、カード収納部１１に通信用カード１８を装着した状態でも、防滴性を確保して良好に使用することができ、これにより、より一層、使い勝手の良いものを得ることができる。
【００５５】
特に、プリンタ側開口部４７とホルダ側開口部４８とが下部ホルダ２０に連続して設けられているので、プリンタ部１０と記録紙ホルダ１３の内部とを連続させて開放することができ、これにより記録紙ホルダ１３に収納された記録紙１２を本体ケース１のプリンタ部１０に差し込んでセットしやすくすることができると共に、第１パッキン部材４４がプリンタ側開口部４７の縁部とホルダ側開口部４８の縁部とに連続して設けられているので、第１パッキン部材４４のみで本体ケース１の端部と下部ホルダ２０との間、および下部ホルダ２０と上部ホルダ２２との間の防滴性をも確保することができ、これにより部品点数が少なく、組み立て作業も容易にできる。
【００５６】
また、下部ホルダ２０には、上部ホルダ２２に設けられた係合突起２９を係脱可能に係止することにより、上部ホルダ２２を下部ホルダ２０に密着させてロックするロック部材２７が設けられているので、このロック部材２７によって上部ホルダ２２の係合突起２９を係止してロックすると、上部ホルダ２２が下部ホルダ２０に密着するときに、第１パッキン部材４４を圧縮させることができ、これにより上部ホルダ２２と下部ホルダ２０との間の防滴性を、より一層、確実に確保することができる。
【００５７】
また、この携帯情報端末機では、上部ホルダ２２にプリンタ部１０の用紙排出口３１を開閉可能に塞ぐ防滴カバー３７が回動可能に取り付けられているので、用紙排出口３１の防滴性を確保できるほか、特に防滴カバー３７が用紙排出口３１のみを開閉可能に塞ぐ構造であるから、記録紙ホルダ１３全体を覆う従来の防滴カバーを設けた場合に比べて、コンパクトに構成することができ、これにより防滴カバー３７を設けても、携帯性が良く、しかもプリンタ部１０の使用時に防滴カバー３７が邪魔にならず、良好に使用することができる。
【００５８】
この場合、防滴カバー３７には、用紙排出口３１を密閉するクッション部材４０と、本体ケース１に設けられた係合凹部４２に係脱可能に係合する係止突起４３とが設けられているので、防滴カバー３７を回動させて用紙排出口３１を閉じたときに、防滴カバー３７の係止突起４３が本体ケース１の係合凹部４２に係合することにより、クッション部材４０を圧縮させて用紙排出口３１を密閉することができ、これにより用紙排出口３１に水滴などが侵入するのを確実に防ぐことができるほか、用紙排出口３１およびプリンタ部１０に対する衝撃をも適度に吸収することができ、これにより安全性の高いものを得ることができる。
【００５９】
なお、上記実施形態では、第１パッキン部材４４がプリンタ側開口部４７の縁部とホルダ側開口部４８の縁部とに連続して設けられている場合について述べたが、これに限らず、例えば第１パッキン部材４４をプリンタ側開口部４７の縁部とホルダ側開口部４８の縁部とに分割して形成し、これにより別々にプリンタ側開口部４７の縁部とホルダ側開口部４８の縁部とに取り付けるようにしても良い。
また、上記実施形態では、携帯型電子機器として、携帯情報端末機に適用した場合について述べたが、これに限らず、携帯電話機、電子辞書、ＰＤＡ（パーソナル・デジタル・アシスタント）などの各種の電子機器に広く適用することができる。
【図面の簡単な説明】
【００６０】
【図１】この発明を適用した携帯情報端末機の外観斜視図である。
【図２】図１の携帯情報端末機を上下反転させた状態の斜視図である。
【図３】図１のＡ−Ａ矢視における要部の拡大断面図である。
【図４】図３の記録紙ホルダを背面側の下方から見た要部の斜視図である。
【図５】図１の本体ケースにおけるプリンタ部側の端部を示した要部の斜視図である。
【図６】図５の本体ケースの端部に取り付けられる記録紙ホルダを示した斜視図である。
【図７】図６の記録紙ホルダにおいて上部ホルダとカード蓋とを開いた状態を示した側面図である。
【図８】図７の下部ホルダを上方から見た一部分解した斜視図である。
【図９】図７の下部ホルダを下側から見た一部分解した斜視図である。
【図１０】図３のＡ部を示した拡大断面図である。
【図１１】図３のＢ部を示した拡大断面図である。
【図１２】図３のＣ部を示した拡大断面図である。
【図１３】図１の携帯情報端末機で印字する状態を示した斜視図である。
【図１４】図１３の記録紙を交換する状態を示した要部の斜視図である。
【図１５】図２においてカード収納部に通信カードを挿入する状態を示した斜視図である。
【符号の説明】
【００６１】
１  本体ケース
１０  プリンタ部
１１  カード収納部
１２  記録紙
１３  記録紙ホルダ
１８  通信用カード
２０  下部ホルダ
２１  ヒンジ軸
２２  上部ホルダ
２３  カード蓋
２４  記録紙受部
２５  カード受部
２６  ホルダ取付部
２７  ロック部材
２９  係合突起
３０  鍔部
３１  用紙排出口
３７  防滴カバー
４０  クッション部材
４２  係合凹部
４３  係止突起
４４〜４６  第１〜第３パッキン部材
４７  プリンタ側開口部
４８  ホルダ側開口部
５０  カード側開口部
５１  蓋側開口部
【図１】
2005205732.tif 000003
【図２】
2005205732.tif 000004
【図３】
2005205732.tif 000005
【図４】
2005205732.tif 000006
【図５】
2005205732.tif 000007
【図６】
2005205732.tif 000008
【図７】
2005205732.tif 000009
【図８】
2005205732.tif 000010
【図９】
2005205732.tif 000011
【図１０】
2005205732.tif 000012
【図１１】
2005205732.tif 000013
【図１２】
2005205732.tif 000014
【図１３】
2005205732.tif 000015
【図１４】
2005205732.tif 000016
【図１５】
2005205732.tif 000017